(57)【要約】【課題】デザインのバリエーション等を増やす等して、デザイン性や機能性等を向上させること。【解決手段】内容物が充填される有底筒状の容器本体２と、該容器本体の上端開口部に設けられ、押し込みによって内容物を吐出口２１から吐出させる吐出器３と、容器本体内に容器軸Ｏ方向に摺動可能に嵌合され、内容物の吐出に伴って容器軸方向に沿って移動する中皿４と、を備え、中皿が、容器本体内に全周に亘って当接するシール部３０ａと、外周面に情報や装飾が明示された明示筒部３０ｂと、を備え、容器本体の少なくとも一部には、中皿の明示筒部を視認可能とさせる透明な窓部１０が形成されている吐出容器１を提供する。【選択図】図１
2012111527.tif 000002
【特許請求の範囲】
【請求項１】
内容物が充填される有底筒状の容器本体と、
該容器本体の上端開口部に設けられ、押し込みによって前記内容物を吐出口から吐出させる吐出器と、
前記容器本体内に容器軸方向に摺動可能に嵌合され、前記内容物の吐出に伴って容器軸方向に沿って移動する中皿と、を備え、
前記中皿は、
前記容器本体内に全周に亘って当接するシール部と、
外周面に情報や装飾が明示された明示筒部と、を備え、
前記容器本体の少なくとも一部には、前記中皿の前記明示筒部を視認可能とさせる透明な窓部が形成されていることを特徴とする吐出容器。
【請求項２】
請求項１に記載の吐出容器において、
前記窓部は、前記容器本体において前記中皿が移動始端位置から前記容器軸方向に移動した位置と対応する部分に配置されていることを特徴とする吐出容器。
【請求項３】
請求項２に記載の吐出容器において、
前記窓部は、前記容器本体において前記中皿の移動終端位置と対応する部分に配置されていることを特徴とする吐出容器。
【発明の詳細な説明】
【技術分野】
【０００１】
本発明は、例えば化粧用クリーム等の高粘度の内容物を吐出するのに好適な中皿移動式の吐出容器に関するものである。
【背景技術】
【０００２】
この種の容器として、内容物が充填される胴部内に中皿が上昇摺動可能に嵌合された容器体と、上方付勢された押下ヘッドを有し、且つ胴部の上部に装着されたポンプ部と、を備え、押下ヘッドの押し下げにより内容物を押下ヘッドのノズルから吐出させる中皿上昇式の吐出容器が知られている（特許文献１参照）。
この吐出容器によれば、押下ヘッドの押し下げの解除によって胴部内を負圧化させて中皿を上昇させることができるので、内容物の吸い上げを促がすことが可能となる。よって、高粘度の内容物であっても好適に吐出させ易い。
【先行技術文献】
【特許文献】
【０００３】
【特許文献１】特開２００８−２９６９２２号公報
【発明の概要】
【発明が解決しようとする課題】
【０００４】
ところが、上記従来の中皿移動式の吐出容器を含む容器一般においては、商品価値等を高めるために、例えば容器本体に各種情報や装飾等を施す場合があるが、さらなるデザイン性や機能性等の向上が望まれている。
【０００５】
本発明は、このような事情を考慮してなされたもので、その目的は、デザインのバリエーション等を増やす等して、デザイン性や機能性等を向上させることができる吐出容器を提供することである。
【課題を解決するための手段】
【０００６】
上記の目的を達成するために、この発明は以下の手段を提供している。
（１）本発明に係る吐出容器は、内容物が充填される有底筒状の容器本体と、該容器本体の上端開口部に設けられ、押し込みによって前記内容物を吐出口から吐出させる吐出器と、前記容器本体内に容器軸方向に摺動可能に嵌合され、前記内容物の吐出に伴って容器軸方向に沿って移動する中皿と、を備え、前記中皿が、前記容器本体内に全周に亘って当接するシール部と、外周面に情報や装飾が明示された明示筒部と、を備え、前記容器本体の少なくとも一部には、前記中皿の前記明示筒部を視認可能とさせる透明な窓部が形成されていることを特徴とする。
【０００７】
本発明に係る吐出容器によれば、内容物を吐出させる度に中皿を容器軸方向に沿って上昇移動又は下降移動させることができるので、この中皿の移動によって内容物の吐出を促がすことができ高い吐出性を確保することができる。
特に、中皿の明示筒部の外周面には各種情報や装飾、例えば文字、図形、記号若しくはこれらの結合又はこれらと色彩との結合等が明示されており、容器本体の窓部を通じてこれらを外部から視認することができる。従って、容器本体だけでなく中皿についてもデザイン性や機能性向上のための対象物として機能させることができる。そのため、デザインのバリエーションを増やすことができ、さらなるデザイン性や機能性の向上化を図って商品価値を高めることができる。
【０００８】
（２）上記本発明に係る吐出容器において、前記窓部が、前記容器本体において前記中皿が移動始端位置から前記容器軸方向に移動した位置と対応する部分に配置されていても良い。
【０００９】
この場合には、容器本体内を移動する中皿が窓部の位置に達した時に、初めて明示筒部に明示された各種情報や装飾を視認することができるので、例えば中皿の位置や窓部の位置に関連付けた何らかのメッセージや内容物の残量表示等を行うことが可能であり、デザイン性に加えて特に機能性を顕著に向上させることができる。
【００１０】
（３）上記本発明に係る吐出容器において、前記窓部が、前記容器本体において前記中皿の移動終端位置と対応する部分に配置されていても良い。
【００１１】
この場合には、中皿が移動終端位置に移動した時に該中皿の明示筒部に明示された各種情報や装飾を視認できるので、例えば内容物の空表示等を行って、内容物の充填タイミングや商品購入タイミング等を促がすことが可能であり、上記機能性をさらに向上させることができる。
【発明の効果】
【００１２】
本発明に係る吐出容器によれば、デザイン性や機能性等をさらに向上させることができ、商品価値を高めることができる。
【図面の簡単な説明】
【００１３】
【図１】本発明に係る吐出容器の実施形態を示す半縦断面図である。
【図２】図１に示す吐出容器の変形例を示す側面図である。
【発明を実施するための形態】
【００１４】
以下、本発明に係る吐出容器の実施形態について図面を参照して説明する。なお、本実施形態では、ポンプを利用して内容物を吐出させるポンプタイプの吐出容器を例に挙げて説明する。
【００１５】
（吐出容器の構成）
図１に示すように、本実施形態の吐出容器１は、図示しない内容物が充填される容器本体２と、内容物を吐出させる吐出器３と、容器本体２内に容器軸Ｏ方向に摺動可能に嵌合され、内容物の吐出に伴って容器軸Ｏに沿って上昇移動する中皿４と、を備えている。
【００１６】
なお、上記各構成品のそれぞれの中心軸は上記容器軸Ｏ上に位置している。そして、本実施形態では、容器軸Ｏに直交する方向を径方向、容器軸Ｏを中心に周回する方向を周方向とする。また、容器軸Ｏに沿って容器本体２の底部１１側を下側、吐出器３の吐出ヘッド２０側を上側とする。
また、内容物としては、例えば化粧用、毛染め用、洗顔用や洗髪用等の液体、ジェル、フォーマーやクリーム等である。或いは、食品用に関する内容物でも構わない。
【００１７】
容器本体２は、透明又は半透明な材料で円筒状に形成された胴部１０と、該胴部１０の下端部に嵌合固定された底部１１と、で有底円筒状に形成されている。胴部１０の上端部分は、他の部分よりも縮径した縮径筒１０ａとされている。底部１１の中心部には、中皿４と該底部１１との間の隙間空間Ｓと外部とを連通させるための逃げ孔１１ａが形成されている。これにより、中皿４が上昇移動したとしても、隙間空間Ｓが負圧になることが抑制でき、中皿４を滑らかに上昇移動させることが可能とされている。
【００１８】
なお、本実施形態では、胴部１０の全体が容器本体２内に配設された中皿４を外部から視認可能とさせる窓部として機能する。また、胴部１０の材料は、透明又は半透明な材料に限られるものではなく、例えば光の透過率が４０％や８０％の材料で形成されていても構わない。
【００１９】
吐出器３は、上方付勢状態で押し込み可能に起立したステムを有する図示しないポンプ部と、ステムの上端に取り付けられた吐出ヘッド２０と、この吐出ヘッド２０に設けられた吐出ノズル（吐出口）２１と、を備えており、吐出ヘッド２０の押し込みによって吐出ノズル２１から内容物を吐出させる。
【００２０】
上記ポンプ部は、ステムの押し込みによって内容物を送り出す送出器であり、装着筒２２に一体的に組み付けられた図示しないシリンダ筒と、このシリンダ筒に上下摺動可能に挿入された図示しないピストン筒と、を有しており、このピストン筒の上部に上記ステムが連通状態で取り付けられている。なお、ピストン筒及びステムは、図示しないコイルバネによって常に上方付勢されている。
【００２１】
装着筒２２は、胴部１０の縮径筒１０ａの内側に例えば嵌合されている。これにより、吐出器３は容器本体２の上端開口部に装着筒２２を介して装着されている。
吐出ヘッド２０は、ステムを押し込み操作する操作部であり、図示の例では余計な角部が取れた滑らかで若干の丸みを帯びた有頂筒状に形成されており、側面の一部に上記吐出ノズル２１が形成されている。なお、この吐出ノズル２１は吐出ヘッド２０の内部でステムに連通している。
【００２２】
中皿４は、容器本体２の胴部１０内に上下摺動可能に嵌合され、内容物の減少に伴う容器本体２内の負圧化によって上昇移動する環状部材であって、胴部１０の内面に当接する環状のシール筒部３０と、該シール筒部３０の上端開口部を塞ぐと共に内容物を容器本体２において中皿４よりも上方に閉じ込める平面視円形状の隔壁板３１と、を備えている。
【００２３】
シール筒部３０は、中間部分が径方向内側に若干凹み、上端部及び下端部の両端部が胴部１０の内周面に全周に亘って当接するシール部３０ａとされている。そのため、このシール部３０ａを介して適度な摩擦力で胴部１０に接しており、シール性を確保しながら滑らかな摺動移動が可能とされている。
シール筒部３０の上記中間部分は、胴部１０の内周面に対して若干の隙間を開けた状態で胴部１０に対して平行に向かい合い、その外周面に文字Ｍが明示された明示筒部３０ｂとされている。
【００２４】
なお、上記文字Ｍは、明示筒部３０ｂの全周に亘って形成されていても構わないし、一部に形成されていても構わない。また、図示の例では文字Ｍとしたが、この場合に限定されるものではなく、図形や記号でも構わないし、若しくは文字、図形や記号を結合させたものでも構わないし、さらにはこれらと色彩とを結合させたものであっても構わない。例えば、幾何学的な模様やキャラクター絵柄等の装飾や、製造社名、商品名、内容物の用途等を表示した各種情報を明示しても構わない。
また、明示方法としては、例えば印刷、蒸着やシール貼付等の方法、明示筒部３０ｂの外周面に凹凸を形成する方法であっても構わない。
また、図示の例では、シール筒部３０の上端部及び下端部の両端部をシール部３０ａとしたが、上端部又は下端部の一箇所のみをシール部３０ａとしても構わない。
【００２５】
隔壁板３１は、径方向外端部が上記シール筒部３０の上端部分内面に全周に亘って連設している。なお、図示の例では、隔壁板は垂壁部３１ａによって下方に向けて段付き形状とされており、シール筒部３０に連設される径方向外端部が他の部分よりも下方にシフトしている。
また、隔壁板３１には、シール筒部３０の径方向内側に下方に向けて延びる環状の内筒部３３が形成されている、この内筒部３３は、シール筒部３０よりも下方に延びており、その下端部が容器本体２の底部１１に接している。そして、この内筒部３３には、径方向外側に向けて突出する複数の縦リブ３４が周方向に間隔を開けて放射状に形成されている。これら縦リブ３４の上端部は、隔壁板３１に連設しており、これにより中皿４の剛性強化が図られている。
【００２６】
（吐出容器の使用）
次に、上記のように構成された吐出容器１を使用する場合について説明する。
この場合には、吐出器３の吐出ヘッド２０を上方付勢力に抗した力で押し下げることで、内容物を吐出ノズル２１から吐出することができる。そして、吐出後、吐出ヘッド２０の押し下げを解除すると、該吐出ヘッド２０はコイルバネ等による上方付勢力により上方付勢されているので元の位置に復帰する。これにより、容器本体２内に充填されている内容物をシリンダ筒内に吸い上げて溜め込むことができ、次の吐出に備えることができる。
【００２７】
また、上記吸い上げによって内容物が減少すると容器本体２内が負圧化されるので、中皿４が上昇移動する。これにより、内容物の吸い上げを効率良く補助して吐出を促がすことができる。このように、本実施形態の吐出容器１によれば、内容物を吐出させる度に中皿４を上昇移動させ、この中皿４の移動によって内容物の吐出を促がすことができるので、仮に高粘度の内容物であっても高い吐出性を確保することができる。
【００２８】
特に、容器本体２の胴部１０を通じて、中皿４の明示筒部３０ｂの外周面に明示された文字Ｍによる情報や装飾を外部から視認することができるので、容器本体２だけなくこの中皿４についてもデザイン性や機能性向上のための対象物として機能させることができる。よって、デザインのバリエーションを増やすことができ、デザイン性や機能性の向上化を図って商品価値を高めることができる。
しかも、中皿４の明示筒部３０ｂに明示した文字Ｍは、使用中に中皿４と共に上昇移動するので、動的でユニークなデザイン設計を行い易い。
【００２９】
また、上記実施形態では、胴部１０全体を透明又は半透明な材料で形成し、内部の中皿４を外部から視認可能とさせる窓部として機能させたが、図２に示すように、胴部１０の少なくとも一部に窓部４２が形成されていても構わない。
この場合の容器本体２の胴部１０には、例えば一部分を除いて遮光膜４１が形成されており、内部を視認することが不可とされている。そして、遮光膜４１が除かれた上記一部分が、内部を視認可能とさせる窓部４２として機能する。図示の例では、この窓部４２は、胴部１０の容器軸Ｏ方向の中間部よりも上方に位置した部分に環状に形成されている。
なお、上記遮光膜４１は胴部１０の外面又は内面に例えば被膜によって形成されていても構わないし、遮光膜４１を中間層とした３層構造で胴部１０を形成しても構わない。
【００３０】
このように構成された吐出容器４０の場合には、容器本体２内で上昇移動する中皿４が窓部４２の位置に達したときに、初めて明示筒部３０ｂに明示された文字Ｍによる情報や装飾を視認することができるので、中皿４の位置や窓部４２の位置に関連付けた何らかのメッセージや内容物の残量表示等を行うことが可能となり、デザイン性に加えて特に機能性を顕著に向上させることができる。
例えば、上記文字Ｍを「もうすぐ終わります」とすることで、内容物の残量表示を行うことが可能である。
【００３１】
また、上記窓部４２を形成する場合、該窓部４２の位置を中皿４の上昇端位置に対応する部分に配置しても構わない。この場合、中皿４が上昇端位置に移動してきた時に、明示筒部３０ｂに明示した文字Ｍを視認できるので、例えば内容物の空表示等を行って、内容物の充填タイミングや表品購入タイミング等を促がすことが可能となり、上記機能性をさらに向上させることができる。
【００３２】
なお、本発明の技術範囲は、上記実施形態に限定されるものではなく、本発明の趣旨を逸脱しない範囲において、種々の変更を加えることが可能である。
【００３３】
例えば、上記実施形態では、ポンプ部を利用して内容物を吐出させるタイプの吐出容器を例に挙げて説明したが、中皿を上昇させることで内容物を吐出させる構成であれば、トリガー式のポンプ構造等、種々の吐出器を採用することができる。
【００３４】
また、上記実施形態では、中皿上昇式の吐出容器を例に挙げたが中皿下降式の吐出容器であっても良く、該中皿が容器軸方向に沿って移動する吐出容器であれば本発明は適用可能である。
【符号の説明】
【００３５】
Ｏ…容器軸
１、４０…吐出容器
２…容器本体
３…吐出器
４…中皿
１０…容器本体の胴部（窓部）
２１…吐出ノズル（吐出口）
３０ａ…中皿のシール部
３０ｂ…中皿の明示筒部
４２…窓部
【図１】
2012111527.tif 000003
【図２】
2012111527.tif 000004